(57)【要約】【課題】装置の不具合の発生を抑制できるとともに、不要な輝度低下を抑制できる光源装置を提供する。【解決手段】本発明の光源装置は、複数の光源アレイを有する光源部と、複数の光源アレイのうち各光源アレイに駆動電流を供給する駆動部と、各光源アレイに供給された駆動電流を検出する検出部と、を備える。各光源アレイは、直列に接続された複数の発光素子を有する。検出部は、複数の光源アレイが点灯する点灯期間に各光源アレイに供給される駆動電流を検出する。駆動部は、複数の光源アレイの点灯が開始される開始期間に、複数の光源アレイのうち所定の光源アレイにおいて、点灯期間で駆動電流の電流値が所定値より大きい第１駆動電流が検出された連続回数が所定回数に達している場合には、所定の光源アレイに駆動電流を供給しない。【選択図】図３
2018036458.tif 000002
【特許請求の範囲】
【請求項１】
複数の光源アレイを有する光源部と、
前記複数の光源アレイのうち各光源アレイに駆動電流を供給する駆動部と、
前記各光源アレイに供給された駆動電流を検出する検出部と、
を備え、
前記各光源アレイは、直列に接続された複数の発光素子を有し、
前記検出部は、前記複数の光源アレイが点灯する点灯期間に前記各光源アレイに供給される前記駆動電流を検出し、
前記駆動部は、前記複数の光源アレイの点灯が開始される開始期間に、前記複数の光源アレイのうち所定の光源アレイにおいて、前記点灯期間で前記駆動電流の電流値が所定値より大きい第１駆動電流が検出された連続回数が所定回数に達している場合には、前記所定の光源アレイに前記駆動電流を供給しない、光源装置。
【請求項２】
前記駆動部は、前記検出部により前記第１駆動電流が検出された場合に、前記第１駆動電流が検出された光源アレイに対する前記駆動電流の供給を停止する、請求項１に記載の光源装置。
【請求項３】
前記駆動部は、前記検出部により前記第１駆動電流が検出された場合に、前記複数の光源アレイのうち前記第１駆動電流が検出された光源アレイ以外の光源アレイに対する前記駆動電流の供給を継続する、請求項１または請求項２に記載の光源装置。
【請求項４】
前記検出部により前記第１駆動電流が検出された場合に、異常情報を外部に報知する報知部をさらに備えた、請求項１から請求項３までのいずれか一項に記載の光源装置。
【請求項５】
請求項１から請求項４までのいずれか一項に記載の光源装置と、
前記光源装置から射出された光を画像情報に応じて変調する光変調装置と、
前記光変調装置により変調された光を投射する投射光学系と、を備えた、プロジェクター。
【請求項６】
複数の光源アレイを有する光源部を備えた光源装置の制御方法であって、
前記複数の光源アレイのうち各光源アレイに駆動電流を供給し、
前記複数の光源アレイが点灯する点灯期間に前記各光源アレイに供給される駆動電流を検出し、
前記複数の光源アレイの点灯が開始される開始期間に、前記複数の光源アレイのうち所定の光源アレイにおいて、前記点灯期間での前記駆動電流の電流値が所定値より大きい第１駆動電流が検出された連続回数が所定回数に達している場合には、前記所定の光源アレイに前記駆動電流を供給しない、光源装置の制御方法。
【発明の詳細な説明】
【技術分野】
【０００１】
本発明は、光源装置、プロジェクター、および光源装置の制御方法に関する。
【背景技術】
【０００２】
例えばプロジェクターに用いる光源装置として、半導体レーザー等の発光素子を利用した光源装置が提案されている。下記の特許文献１に、駆動回路部、制御回路部、および異常検出回路部を備えた半導体レーザー駆動装置が開示されている。また、異常検出回路部は、ＰＭＯＳトランジスター、ＮＭＯＳトランジスター、定電流回路、およびコンパレーターから構成されている。異常検出回路部は、レーザーダイオードに供給された駆動電流の電流値を検出し、検出された駆動電流値が所定値以上の過電流であった場合には異常状態と判定し、レーザーダイオードへの電流出力を停止する。
【先行技術文献】
【特許文献】
【０００３】
【特許文献１】特開２００５−３２７９８号公報
【発明の概要】
【発明が解決しようとする課題】
【０００４】
ところが、特許文献１に記載の半導体レーザー駆動装置のように、発光素子の点灯後に過電流を検出した場合に発光素子への電流出力を停止する構成では、発光素子を点灯させるたびにレーザーダイオードに過電流が流れるおそれがある。その結果、光源装置の信頼性が低下する、光源装置の構成部品が破損する、等の不具合が生じる。また、異物付着等の偶発的な原因で過電流が発生した場合、もしくは過電流を誤検出した場合などに発光素子への電流出力を停止すると、実際には故障していない発光素子を消灯させることになり、不要な輝度低下を生じる。
【０００５】
本発明の一つの態様は、上記の課題を解決するためになされたものであって、信頼性低下、部品破損等の不具合の発生を抑制できるとともに、不要な輝度低下を抑制できる光源装置を提供することを目的の一つとする。また、本発明の一つの態様は、信頼性が高く、明るい表示が得られるプロジェクターを提供することを目的の一つとする。また、本発明の一つの態様は、信頼性低下、部品破損等の不具合の発生を抑制できるとともに、不要な輝度低下を抑制できる光源装置の制御方法を提供することを目的の一つとする。
【課題を解決するための手段】
【０００６】
上記の目的を達成するために、本発明の一つの態様の光源装置は、複数の光源アレイを有する光源部と、前記複数の光源アレイのうち各光源アレイに駆動電流を供給する駆動部と、前記各光源アレイに供給された駆動電流を検出する検出部と、を備え、前記各光源アレイは、直列に接続された複数の発光素子を有し、前記検出部は、前記複数の光源アレイが点灯する点灯期間に前記各光源アレイに供給される前記駆動電流を検出し、前記駆動部は、前記複数の光源アレイの点灯が開始される開始期間に、前記複数の光源アレイのうち所定の光源アレイにおいて、前記点灯期間で前記駆動電流の電流値が所定値より大きい第１駆動電流が検出された連続回数が所定回数に達している場合には、前記所定の光源アレイに前記駆動電流を供給しない。
【０００７】
本発明の一つの態様の光源装置においては、複数の光源アレイの点灯が開始される開始期間に第１駆動電流が検出された連続回数が所定回数に達している場合に所定の光源アレイに駆動電流を供給しないため、第１駆動電流の発生を未然に防ぎ、信頼性低下、部品破損等の不具合の発生を抑えることができる。また、たとえ第１駆動電流が１回検出された光源アレイであっても、第１駆動電流が検出された連続回数が所定回数に達していない場合には次回の点灯時に駆動電流を供給できるため、不要な輝度低下を抑制することができる。
【０００８】
本発明の一つの態様の光源装置において、前記駆動部は、前記検出部により前記第１駆動電流が検出された場合に、前記第１駆動電流が検出された光源アレイに対する前記駆動電流の供給を停止してもよい。
この構成によれば、光源装置の不具合の発生をより早い段階で抑制することができる。
【０００９】
本発明の一つの態様の光源装置において、前記駆動部は、前記検出部により前記第１駆動電流が検出された場合に、前記複数の光源アレイのうち前記第１駆動電流が検出された光源アレイ以外の光源アレイに対する前記駆動電流の供給を継続してもよい。
この構成によれば、不要な輝度低下をより十分に抑制することができる。
【００１０】
本発明の一つの態様の光源装置は、前記検出部により前記第１駆動電流が検出された場合に、異常情報を外部に報知する報知部をさらに備えていてもよい。
この構成によれば、使用者は、光源装置において第１駆動電流が発生したことを知ることができる。
【００１１】
本発明の一つの態様のプロジェクターは、本発明の一つの態様の光源装置と、前記光源装置から射出された光を画像情報に応じて変調する光変調装置と、前記光変調装置により変調された光を投射する投射光学系と、を備える。
この構成によれば、信頼性が高く、明るい表示が得られるプロジェクターを提供することができる。
【００１２】
本発明の一つの態様の光源装置の制御方法は、複数の光源アレイを有する光源部を備えた光源装置の制御方法であって、前記複数の光源アレイのうち各光源アレイに駆動電流を供給し、前記複数の光源アレイが点灯する点灯期間に前記各光源アレイに供給される駆動電流を検出し、前記複数の光源アレイの点灯が開始される開始期間に、前記複数の光源アレイのうち所定の光源アレイにおいて、前記点灯期間での前記駆動電流の電流値が所定値より大きい第１駆動電流が検出された連続回数が所定回数に達している場合には、前記所定の光源アレイに前記駆動電流を供給しない。
この構成によれば、信頼性低下、部品破損等の不具合の発生を抑制できるとともに、不要な輝度低下を抑制できる光源装置の制御方法を提供することができる。
【図面の簡単な説明】
【００１３】
【図１】本発明の一実施形態のプロジェクターの概略構成図である。
【図２】本発明の一実施形態の光源装置の概略構成図である。
【図３】光源装置の制御方法の手順を示すフローチャートである。
【発明を実施するための形態】
【００１４】
以下、本発明の一実施形態について、図１〜図３を用いて説明する。
図１は、本実施形態に係るプロジェクター１０００を示す概略構成図である。
なお、以下の各図面においては各構成要素を見やすくするため、構成要素によって寸法の縮尺を異ならせて示すことがある。
【００１５】
［プロジェクター］
図１に示すように、プロジェクター１０００は、照明装置１００、色分離導光光学系２００、光変調装置としての液晶ライトバルブ４００Ｒ、液晶ライトバルブ４００Ｇ、液晶ライトバルブ４００Ｂ、クロスダイクロイックプリズム５００、および投射光学系６００を備える。
【００１６】
照明装置１００は、光源装置１、集光光学系８０、波長変換装置９０、コリメート光学系１１０、第１レンズアレイ１２０、第２レンズアレイ１３０、偏光変換素子１４０、および重畳レンズ１５０を備える。
【００１７】
光源装置１の詳細な構成については後述する。光源装置１は、複数の発光素子１４を備え、青色光Ｂを集光光学系８０に向けて射出する。
【００１８】
集光光学系８０は、第１レンズ８２および第２レンズ８４を備える。集光光学系８０は、光源装置１と波長変換装置９０との間の光路中に配置されている。集光光学系８０は、光源装置１からの青色光Ｂを集光し、波長変換装置９０の波長変換層９２に入射させる。第１レンズ８２および第２レンズ８４は、ともに凸レンズで構成されている。
【００１９】
波長変換装置９０は、波長変換層９２と、ダイクロイック膜９４と、基板９６と、モーター９８と、を備える。波長変換装置９０は、青色光Ｂの一部を赤色光Ｒと緑色光Ｇとを含む蛍光光に変換し、青色光Ｂが入射する基板９６側とは反対側に向けて蛍光光を射出する。
【００２０】
基板９６は、青色光Ｂを透過する材料で構成されている。基板９６の材料としては、例えば、石英ガラス、水晶、サファイア、光学ガラス、透明樹脂等が用いられる。
【００２１】
光源装置１からの青色光Ｂは、基板９６側から波長変換装置９０に入射する。波長変換層９２は、基板９６の一つの面に基板９６の周方向に沿って円環状に形成されている。波長変換層９２は、ダイクロイック膜９４を介して基板９６上に形成されている。ダイクロイック膜９４は、例えば誘電体多層膜で構成されている。ダイクロイック膜９４は、青色光Ｂを透過し、赤色光Ｒおよび緑色光Ｇを反射する。
【００２２】
波長変換層９２は、波長が約４４５ｎｍの青色光Ｂの一部を蛍光光に変換して射出し、かつ、青色光Ｂの残りの一部を変換せずに通過させる。すなわち、波長変換層９２は、内部に含有する蛍光体が光源装置１から射出された光により励起され、蛍光光を射出する。このように、励起光を射出する光源装置１と波長変換層９２とを適宜組み合わせることによって、所望の色光を得ることができる。波長変換層９２は、例えば（Ｙ、Ｇｄ）３（Ａｌ、Ｇａ）５Ｏ１２：Ｃｅ等のＹＡＧ系蛍光体と、有機バインダーと、を含有する蛍光体層で構成されている。
【００２３】
コリメート光学系１１０は、第１レンズ１１２および第２レンズ１１４を備える。第１レンズ１１２および第２レンズ１１４は、ともに凸レンズで構成されている。コリメート光学系１１０は、波長変換装置９０から射出された光を略平行化する。
【００２４】
第１レンズアレイ１２０は、複数の第１小レンズ１２２を備える。複数の第１小レンズ１２２は、照明光軸１００ａｘと直交する面内にマトリクス状に配列されている。第１レンズアレイ１２０は、コリメート光学系１１０から射出された光を複数の部分光束に分割する。
【００２５】
第２レンズアレイ１３０は、複数の第２小レンズ１３２を備える。複数の第２小レンズ１３２は、照明光軸１００ａｘと直交する面内にマトリクス状に配列されている。複数の第２小レンズ１３２は、第１レンズアレイ１２０の複数の第１小レンズ１２２に対応して設けられている。第２レンズアレイ１３０は、重畳レンズ１５０とともに、第１レンズアレイ１２０の各第１小レンズ１２２の像を液晶ライトバルブ４００Ｒ、液晶ライトバルブ４００Ｇ、液晶ライトバルブ４００Ｂのそれぞれの画像形成領域近傍に結像させる。
【００２６】
偏光変換素子１４０は、第１レンズアレイ１２０により分割された各部分光束の偏光方向を、偏光方向が揃った略１種類の直線偏光光として射出する。偏光変換素子１４０は、図示しない偏光分離層と反射層と位相差板とを有する。偏光分離層は、波長変換装置９０から射出された光に含まれる偏光成分のうち、一方の直線偏光成分をそのまま透過し、他方の直線偏光成分を照明光軸１００ａｘに垂直な方向に反射する。反射層は、偏光分離層で反射された他方の直線偏光成分を照明光軸１００ａｘに平行な方向に反射する。位相差板は、反射層で反射された他方の直線偏光成分を一方の直線偏光成分に変換する。
【００２７】
重畳レンズ１５０は、偏光変換素子１４０から射出された各部分光束を集光して液晶ライトバルブ４００Ｒ、液晶ライトバルブ４００Ｇ、液晶ライトバルブ４００Ｂそれぞれの画像形成領域近傍に重畳させる。
【００２８】
第１レンズアレイ１２０、第２レンズアレイ１３０および重畳レンズ１５０は、波長変換装置９０から射出された光の面内光強度分布を均一にするインテグレーター光学系を構成する。
【００２９】
色分離導光光学系２００は、ダイクロイックミラー２１０、ダイクロイックミラー２２０、反射ミラー２３０、反射ミラー２４０、反射ミラー２５０、リレーレンズ２６０、およびリレーレンズ２７０を備える。色分離導光光学系２００は、照明装置１００からの光を赤色光Ｒ、緑色光Ｇ、および青色光Ｂに分離し、赤色光Ｒ、緑色光Ｇ、および青色光Ｂの各々を照明対象となる液晶ライトバルブ４００Ｒ、液晶ライトバルブ４００Ｇ、液晶ライトバルブ４００Ｂに導光する。
【００３０】
色分離導光光学系２００と液晶ライトバルブ４００Ｒとの間には、フィールドレンズ３００Ｒが配置されている。色分離導光光学系２００と液晶ライトバルブ４００Ｇとの間には、フィールドレンズ３００Ｇが配置されている。色分離導光光学系２００と液晶ライトバルブ４００Ｂとの間には、フィールドレンズ３００Ｂが配置されている。
【００３１】
ダイクロイックミラー２１０は、赤色光Ｒを透過させ、緑色光Ｇおよび青色光Ｂを反射する。ダイクロイックミラー２１０で反射した緑色光Ｇおよび青色光Ｂは、ダイクロイックミラー２２０に向かって進む。ダイクロイックミラー２２０は、緑色光Ｇを反射し、青色光Ｂを透過させる。ダイクロイックミラー２２０で反射した緑色光Ｇは、フィールドレンズ３００Ｇに向かって進む。
【００３２】
ダイクロイックミラー２１０を透過した赤色光Ｒは、反射ミラー２３０で反射され、フィールドレンズ３００Ｒを透過して赤色光Ｒ用の液晶ライトバルブ４００Ｒの画像形成領域に入射する。
【００３３】
ダイクロイックミラー２１０で反射した緑色光Ｇは、ダイクロイックミラー２２０でさらに反射し、フィールドレンズ３００Ｇを透過して緑色光Ｇ用の液晶ライトバルブ４００Ｇの画像形成領域に入射する。
【００３４】
ダイクロイックミラー２２０を透過した青色光Ｂは、リレーレンズ２６０、入射側の反射ミラー２４０、リレーレンズ２７０、射出側の反射ミラー２５０、フィールドレンズ３００Ｂを経て、青色光Ｂ用の液晶ライトバルブ４００Ｂの画像形成領域に入射する。
【００３５】
液晶ライトバルブ４００Ｒ、液晶ライトバルブ４００Ｇ、および液晶ライトバルブ４００Ｂのそれぞれは、光源装置１から射出された光を変調する。液晶ライトバルブ４００Ｒ、液晶ライトバルブ４００Ｇ、および液晶ライトバルブ４００Ｂのそれぞれは、入射された色光を画像情報に応じて変調し、カラー画像を形成する。
【００３６】
図示は省略したが、液晶ライトバルブ４００Ｒの光入射側には、入射側偏光板が設けられている。液晶ライトバルブ４００Ｒの光射出側には、射出側偏光板が設けられている。液晶ライトバルブ４００Ｇ、液晶ライトバルブ４００Ｂに関しても、同様である。
【００３７】
クロスダイクロイックプリズム５００は、液晶ライトバルブ４００Ｒ、液晶ライトバルブ４００Ｇ、および液晶ライトバルブ４００Ｂの各々から射出された画像光を合成してカラー画像を形成する。クロスダイクロイックプリズム５００は、４つの直角プリズムを貼り合わせた平面視略正方形状をなしている。直角プリズム同士を貼り合わせた略Ｘ字状の界面には、誘電体多層膜が形成されている。
【００３８】
投射光学系６００は、複数の投射レンズから構成されている。投射光学系６００は、液晶ライトバルブ４００Ｒ、液晶ライトバルブ４００Ｇ、液晶ライトバルブ４００Ｂによって形成されたカラー画像をスクリーンＳＣＲ上に投射する。
【００３９】
［光源装置］
図２は、本実施形態の光源装置１の概略構成図である。
図２に示すように、光源装置１は、光源部１０と、駆動部２０と、検出部３０と、制御部４０と、報知部５０と、を備える。
【００４０】
光源部１０は、複数の光源アレイ１１と、複数のスイッチング素子１２と、を備える。本実施形態では、光源部１０は、第１の光源アレイ１１Ａ、第２の光源アレイ１１Ｂ、第３の光源アレイ１１Ｃ、第４の光源アレイ１１Ｄからなる４個の光源アレイ１１を備えるが、光源アレイ１１の数は４個に限らない。
【００４１】
一つの光源アレイ１１は、直列に接続された複数の発光素子１４を備える。本実施形態では、一つの光源アレイ１１は４個の発光素子１４を備えるが、発光素子１４の数は４個に限らない。複数の光源アレイ１１は、後述する昇圧回路６６４に対して互いに並列に接続されている。発光素子１４としては、例えば青色光Ｂを射出するレーザーダイオードが用いられる。
【００４２】
複数の光源アレイ１１の各々には、スイッチング素子１２が接続されている。第１の光源アレイ１１Ａに対応して第１のスイッチング素子１２Ａが設けられ、第２の光源アレイ１１Ｂに対応して第２のスイッチング素子１２Ｂが設けられ、第３の光源アレイ１１Ｃに対応して第３のスイッチング素子１２Ｃが設けられ、第４の光源アレイ１１Ｄに対応して第４のスイッチング素子１２Ｄが設けられている。これらスイッチング素子１２により、当該スイッチング素子１２に接続された光源アレイ１１の点灯／消灯が切り替えられるとともに、個々の光源アレイ１１の輝度が調整される。
【００４３】
駆動部２０は、直流電源６６２と、昇圧回路６６４と、を備え、複数の光源アレイ１１のうち各光源アレイ１１に駆動電流を供給し、各光源アレイ１１を点灯させる。昇圧回路６６４としては、例えば非絶縁型のチョッパ方式のＤＣ−ＤＣコンバーターが使用される。駆動部２０は、複数の光源アレイ１１の点灯が開始される開始期間に、複数の光源アレイ１１のうちの所定の光源アレイにおいて、光源アレイ１１が点灯する点灯期間で駆動電流の電流値が所定値より大きい過電流（第１駆動電流）が検出された連続回数が所定回数に達している場合には、所定の光源アレイに駆動電流を供給しない。本実施形態において、所定回数は３回としている。
【００４４】
ここで、複数の光源アレイ１１の点灯が開始される開始期間とは、光源装置１の点灯が開始されてから、すなわち、プロジェクター１０００の電源がオンされてから、複数の光源アレイ１１のうち各光源アレイ１１に駆動電流が供給されるまでの期間である。また、複数の光源アレイ１１が点灯する点灯期間とは、開始期間の後の期間であり、各光源アレイ１１に駆動電流が供給されて各光源アレイ１１が点灯した期間である。点灯期間は、各光源アレイ１１が点灯してから例えば５秒以内の期間であり、点灯初期の期間を意味する。
【００４５】
検出部３０は、制御用電流検出部６７０と、過電流検出部６８０と、を備える。制御用電流検出部６７０は、制御用電流検出用抵抗Ｒ１と、第１のオペアンプＯＰ１と、第１のＡ／ＤコンバーターＡＤ１と、を備える。過電流検出部６８０は、過電流検出用抵抗Ｒ２と、第２のオペアンプＯＰ２と、第２のＡ／ＤコンバーターＡＤ２と、を備える。
【００４６】
なお、制御用電流検出部６７０および過電流検出部６８０を含む検出部３０は、実際には各光源アレイ１１に設けられているが、図２では第１の光源アレイ１１Ａに対応する検出部３０のみを図示し、他の３つの光源アレイ１１に対する検出部３０の図示を省略する。
【００４７】
第１の光源アレイ１１Ａと昇圧回路６６４との接続経路において、制御用電流検出用抵抗Ｒ１、過電流検出用抵抗Ｒ２、および第１のスイッチング素子１２Ａは、互いに直列に接続されるとともに、第１の光源アレイ１１Ａのハイサイドに接続されている。第２の光源アレイ１１Ｂ、第３の光源アレイ１１Ｃ、および第４の光源アレイ１１Ｄについても、第１の光源アレイ１１Ａとそれぞれ同様である。
【００４８】
制御部４０は、昇圧制御部６２０と、過電流判定部６３０と、調光制御部６４０と、メインコントローラー６１０と、を備える。昇圧制御部６２０は、昇圧回路６６４を制御する。過電流判定部６３０は、過電流検出部６８０の検出結果に応じて過電流が発生したか否かを判定する。調光制御部６４０は、光源部１０のスイッチング素子１２を制御し、各光源アレイ１１に供給する駆動電流の電流値を調整する。メインコントローラー６１０は、昇圧制御部６２０、過電流判定部６３０、および調光制御部６４０を制御する。
【００４９】
報知部５０は、いずれかの光源アレイで点灯期間に過電流が検出された場合に、メインコントローラー６１０からの指示信号に応じて、過電流が検出された光源アレイを含む複数の光源アレイ１１が異常状態にあることを示す異常情報を外部に報知する。プロジェクター１０００の使用者は、報知部５０からの報知によっていずれかの光源アレイ１１で異常が発生したこと、さらには異常が発生した光源アレイ１１を認識することができる。報知部５０は、例えば、プロジェクター１０００の図示しない外装筐体に取り付けられた液晶パネルへの表示、インジケーターの点灯・点滅、投射画像に重畳されたＯＳＤ（Ｏｎ  Ｓｃｒｅｅｎ  Ｄｉｓｐｌａｙ）による表示によって、使用者に視覚的に異常情報を報知できるものであってもよいし、スピーカー等によって使用者に音声で報知できるものであってもよい。
【００５０】
以下、光源装置１の各部の動作を第１の光源アレイ１１Ａで代表して説明する。
昇圧制御部６２０は、メインコントローラー６１０からの指令（指示信号）に応じて昇圧回路６６４を制御し、所定の駆動電流を第１の光源アレイ１１Ａに供給する。
【００５１】
制御用電流検出用抵抗Ｒ１の両端の電圧は、第１のオペアンプＯＰ１により増幅された後、第１のＡ／ＤコンバーターＡＤ１に入力される。制御用電流検出部６７０は、制御用電流検出用抵抗Ｒ１の両端の電圧を取得することによって、制御用電流検出用抵抗Ｒ１に流れる駆動電流を検出する。
【００５２】
メインコントローラー６１０は、制御用電流検出用抵抗Ｒ１に流れる駆動電流に基づいて、調光制御部６４０に調光指令を送信する。第１のスイッチング素子１２Ａがオンの状態では、第１の光源アレイ１１Ａに駆動電流が流れ、第１の光源アレイ１１Ａの複数の発光素子１４が発光する。さらに、調光制御部６４０は、メインコントローラー６１０からの調光指令に基づいて、第１のスイッチング素子１２Ａのデューティー比を調整することにより第１の光源アレイ１１Ａの発光輝度を制御する。
【００５３】
過電流検出用抵抗Ｒ２の両端の電圧は、第２のオペアンプＯＰ２により増幅された後、第２のＡ／ＤコンバーターＡＤ２に入力される。過電流検出部６８０は、過電流検出用抵抗Ｒ２の両端の電圧を取得することによって、過電流検出用抵抗Ｒ２に流れる駆動電流を検出する。過電流判定部６３０は、第２のＡ／ＤコンバーターＡＤ２の出力値から、過電流検出用抵抗Ｒ２に流れる駆動電流が予め定められた所定値よりも大きいか否かを判定する。判定基準となる所定値は、例えば定格電流値でもよいし、定格電流値よりも小さい値、または定格電流値よりも大きい値で適宜設定されたものでもよい。
【００５４】
過電流検出用抵抗Ｒ２において、予め定められた所定値よりも大きい過電流（第１駆動電流）が検出された場合、過電流判定部６３０は、調光制御部６４０およびメインコントローラー６１０に発光停止指令を送信する。調光制御部６４０は、発光停止指令を受信した際に発光停止指令をラッチし、第１のスイッチング素子１２Ａをオフにする。
【００５５】
調光制御部６４０では、発光停止指令がラッチされるため、第１のスイッチング素子１２Ａが一旦オフになり、過電流検出用抵抗Ｒ２に流れる駆動電流がゼロとなった状態で、発光停止指令がオフとなったとしても、第１のスイッチング素子１２Ａがオンになることはない。発光停止指令のラッチは、調光制御部６４０が行ってもよいし、過電流判定部６３０が行ってもよい。
【００５６】
本実施形態では、検出部３０は、制御用電流検出部６７０と過電流検出部６８０との２つの電流検出部を別個に備え、駆動電流の大きさを制御する制御用電流検出用抵抗Ｒ１と、過電流を検出する過電流検出用抵抗Ｒ２と、を別個に備えている。この構成に代えて、制御用電流検出用抵抗Ｒ１を流れる駆動電流と過電流検出用抵抗Ｒ２を流れる駆動電流とは同じ大きさであるため、これらの抵抗、オペアンプ、Ａ／Ｄコンバーターをそれぞれ１つに統一し、その出力をメインコントローラー６１０と過電流判定部６３０とに分けて入力するようにしてもよい。この場合、抵抗、オペアンプ、Ａ／Ｄコンバーターがそれぞれ１つずつ設けられていればよい。ただし、本実施形態のように、制御用電流検出用抵抗Ｒ１、過電流検出用抵抗Ｒ２の２つの抵抗が設けられている場合、一方の抵抗に例えばショート等の不具合が発生した場合でも、光源アレイ１１に過電流を流さないようにすることができる。
【００５７】
すなわち、本実施形態の光源装置１の制御方法は、複数の光源アレイ１１が点灯する点灯期間に各光源アレイ１１に供給される駆動電流を検出し、複数の光源アレイ１１の点灯が開始される開始期間に、複数の光源アレイ１１のうち所定の光源アレイにおいて、点灯期間で駆動電流の電流値が所定値より大きい過電流が検出された連続回数が所定回数（３回）に達している場合、所定の光源アレイに駆動電流を供給しない、というものである。
【００５８】
図３は、光源装置１の制御方法の手順を示すフローチャートである。
以下、図３を用いて、光源装置１の制御方法について具体的に説明する。
最初に、使用者がプロジェクター１０００の電源をオンすると、光源装置１の点灯が開始される（ステップＳ１）。
【００５９】
次に、メインコントローラー６１０は、過去の光源装置１の点灯において、複数の光源アレイ１１のうち３回連続で点灯期間に過電流が検出された光源アレイ１１があるか否かを判断する。すなわち、メインコントローラー６１０は、複数の光源アレイ１１のうち、点灯期間において供給された駆動電流の電流値が所定値以上となる過電流が検出された連続回数が所定回数の３回に達している光源アレイ１１があるか否かを判断する（ステップＳ２）。このとき、メインコントローラー６１０は、過去の点灯における点灯期間で過電流の連続検出回数が記録されたカウンターを参照し、判断を行う。
【００６０】
過電流検出の連続回数が３回に達している光源アレイ１１がない場合（ステップＳ２：ＮＯ）、メインコントローラー６１０は、全ての光源アレイ１１に駆動電流を供給し、全ての光源アレイ１１を点灯させるように、駆動部２０および調光制御部６４０を制御する（ステップＳ３）。
【００６１】
一方、過電流検出の連続回数が３回に達している光源アレイ１１がある場合（ステップＳ２：ＹＥＳ）、メインコントローラー６１０は、過電流検出の連続回数が３回に達している光源アレイ１１（所定の光源アレイ）に駆動電流を供給せず、所定の光源アレイを点灯させない。すなわち、複数の光源アレイ１１のうち所定の光源アレイ以外の光源アレイ１１に駆動電流を供給して点灯させるように、駆動部２０および調光制御部６４０を制御する（ステップＳ４）。
【００６２】
次に、全ての光源アレイ１１または所定の光源アレイ以外の光源アレイ１１が点灯した後、メインコントローラー６１０は、検出部３０によって、複数の光源アレイ１１のうち各光源アレイ１１に供給された駆動電流を検出する（ステップＳ５）。そして、メインコントローラー６１０は、検出部３０による駆動電流の検出結果に応じて、過電流（第１駆動電流）が検出された光源アレイ１１が存在するか否かを判断する（ステップＳ６）。すなわち、検出部３０によって検出された各光源アレイにおける駆動電流の電流値が、所定値よりも大きいか否かを判断する。
【００６３】
検出部３０により過電流が検出された光源アレイ１１が存在しない場合（ステップＳ６：ＮＯ）、メインコントローラー６１０は、全ての光源アレイ１１に対して、過電流検出の連続回数を示すカウンターを０にリセットし（ステップＳ７）、ステップＳ３またはステップＳ４において駆動電流が供給されて点灯した光源アレイ１１の点灯を継続する（ステップＳ８）。
【００６４】
一方、検出部３０により過電流が検出された光源アレイ１１が存在する場合（ステップＳ６：ＹＥＳ）、メインコントローラー６１０は、過電流が検出された光源アレイ１１に対する駆動電流の供給を停止し、消灯させるように、駆動部２０および調光制御部６４０を制御する（ステップＳ９）。
【００６５】
次に、メインコントローラー６１０は、過電流が検出された光源アレイ１１に対して、過電流検出の連続回数を示すカウンターに１を加算する（ステップＳ１０）。
【００６６】
次に、メインコントローラー６１０は報知部５０に対して指令を送信し、報知部５０は異常情報を外部に報知する（ステップＳ１１）。
【００６７】
ステップＳ１１が終了した後は、ステップＳ８に移行する。メインコントローラー６１０は、ステップＳ３またはステップＳ４において駆動電流が供給されて点灯した光源アレイ１１であり、かつ、ステップＳ９において駆動電流の供給が停止されて消灯された光源アレイ以外の光源アレイ１１の点灯を継続する。
【００６８】
次に、使用者がプロジェクター１０００の電源をオフすると、プロジェクター１０００のメイン制御部から光源装置１に消灯指令が送信され、光源アレイ１１が消灯する（ステップＳ１２）。
【００６９】
なお、図３において、光源装置１の点灯開始を示すステップＳ１から、光源アレイ１１に駆動電流を供給することを示すステップＳ３またはステップＳ４までの期間が前述の開始期間に相当する。また、光源アレイ１１が点灯することを示すステップＳ３またはステップＳ４から、光源アレイ１１の点灯が継続されることを示すステップＳ８までの期間が前述の点灯期間に相当する。
【００７０】
本実施形態の光源装置１においては、複数の光源アレイ１１の点灯が開始される時点で過電流が検出された連続回数が３回に達している光源アレイ１１がある場合、当該光源アレイ１１には駆動電流が供給されない。そのため、異常状態の光源アレイ１１が点灯せず、当該光源アレイ１１における過電流の発生が未然に防止され、光源装置１の信頼性低下、部品破損等の不具合の発生を抑えることができる。また、過電流が検出された光源アレイ１１であっても、複数の光源アレイ１１の点灯開始時点で、過電流が検出された連続回数が３回未満である場合には駆動電流を供給して光源アレイ１１を点灯させるため、不要な輝度低下を抑制することができる。
【００７１】
さらに、駆動部２０は、所定の光源アレイ１１において点灯期間で過電流が検出された場合、次回の複数の光源アレイ１１の点灯開始時点ではなく、過電流が検出された時点で当該光源アレイ１１に対する駆動電流の供給を停止してもよい。この構成によれば、光源装置１の不具合の発生をより早い段階で抑え、光源装置１の信頼性を確保することができる。同時に、駆動部２０は、所定の光源アレイ１１において点灯期間で過電流が検出された場合、当該光源アレイ１１以外の光源アレイ１１に対する駆動電流の供給を継続してもよい。この構成によれば、不要な輝度低下をより十分に抑制することができる。
【００７２】
本実施形態の光源装置１は、過電流が検出された場合に、異常情報を外部に報知する報知部５０を備えている。これにより、使用者は、光源装置１において異常が発生したこと、さらにはどの光源アレイ１１で異常が発生したのかを知ることができる。これにより、例えば光源アレイ１１の交換作業が行いやすくなる。
【００７３】
本実施形態のプロジェクター１０００は、本実施形態の光源装置１を備えているため、信頼性が高く、明るい表示が得られるプロジェクター１０００を提供することができる。
【００７４】
なお、本発明の技術範囲は上記実施形態に限定されるものではなく、本発明の趣旨を逸脱しない範囲において種々の変更を加えることが可能である。
例えば上記実施形態では、所定の光源アレイにおいて、点灯期間で過電流が検出された連続回数が３回に達している場合に当該所定の光源アレイに駆動電流を供給しない構成となっている。ただし、「過電流が検出された連続回数」は、必ずしも３回に限ることはなく、２回であってもよいし、４回以上であってもよい。
【００７５】
その他、光源装置および照明装置を構成する各構成要素の数、形状、材料、配置等については、適宜変更が可能である。また、上記実施形態では、光源装置と波長変換装置とを備え、光源装置からの光で波長変換装置の蛍光体を励起させる形態のプロジェクターの例を示したが、レーザーダイオードからなる発光素子からの光を光変調装置に直接入射させる形態のプロジェクターに本発明を適用してもよい。また、上記実施形態では、３つの光変調装置を備えるプロジェクターを例示したが、１つの光変調装置でカラー映像を表示するプロジェクターに本発明を適用することも可能である。さらに、光変調装置としては、上述した液晶パネルに限らず、例えばデジタルミラーデバイスなどを用いることもできる。
【００７６】
その他、プロジェクターの各種構成要素の形状、数、配置、材料等については、上記実施形態に限らず、適宜変更が可能である。
また、上記実施形態では本発明による光源装置をプロジェクターに搭載した例を示したが、これに限られない。本発明による光源装置は、照明器具や自動車のヘッドライト等にも適用することができる。
【符号の説明】
【００７７】
１…光源装置、１０…光源部、１１…光源アレイ、１１Ａ…第１の光源アレイ、１１Ｂ…第２の光源アレイ、１１Ｃ…第３の光源アレイ、１１Ｄ…第４の光源アレイ、１４…発光素子、２０…駆動部、３０…検出部、４０…制御部、５０…報知部、４００Ｒ，４００Ｇ，４００Ｂ…液晶ライトバルブ（光変調装置）、６００…投射光学系、１０００…プロジェクター。
【図１】
2018036458.tif 000003
【図２】
2018036458.tif 000004
【図３】
2018036458.tif 000005